(57)【要約】間仕切り（１）の上縁部の上方へ垂直方向に間隔を置いた関係でユーティリティ線（３）を通す高架レースウェイ（２）。レースウェイ（５）は、ユーティリティ線（３）を水平に延ばして保持するように構成された細長い通路を有する。第１支持部材（７）が、レースウェイ（５）から下方に延出しており、レースウェイ（５）から第１垂直距離の間隔を置いてコネクタ（１３）を有する。コネクタ（１３）は、間仕切りフレーム（１６）に取り付けられるように構成されている。第２支持部材（８）が、レースウェイ（５）から下方に延出して、レースウェイ（５）から第１垂直距離と異なった第２垂直距離の間隔を置いてコネクタ（１３）を有するので、レースウェイ（５）は、異なった高さの部分を有する間仕切り（１０）の上縁部の上方のほぼ均一の垂直高さに支持される。
2004530065.tif 000002
【特許請求の範囲】
【請求項１】
間仕切りの上縁部の上方へ垂直方向に間隔を置いた関係でユーティリティ線を通す高架レースウェイであって、
ユーティリティ線を水平に延ばして保持するように構成された細長い通路を画定するレースウェイと、
該レースウェイから下方に延出しており、前記レースウェイから第１垂直距離の間隔を置いて間仕切りパネルフレームに取り付けられるように構成されたコネクタを有する第１支持部材と、
前記レースウェイから下方に延出して、前記レースウェイから前記第１垂直距離と異なった第２垂直距離の間隔を置いてコネクタを有する第２支持部材とを備えて、前記レースウェイが、異なった高さの部分を有する間仕切りの上縁部の上方に間隔を置いたほぼ均一の垂直高さに支持されるようにした高架レースウェイ。
【請求項２】
前記レースウェイは、ユーティリティ線を内部に敷設できるように、上方に開いたＵ字形を有する請求項１記載の高架レースウェイ。
【請求項３】
前記レースウェイは、Ｕ字形チャネルと、該Ｕ字形チャネルを閉じる可撓性フラップとを備える請求項１記載の高架レースウェイ。
【請求項４】
前記レースウェイは、Ｕ字形チャネルと、互いに近づく向きに片持ちされて前記Ｕ字形チャネルを閉じる一対の可撓性フラップとを備える請求項１記載の高架レースウェイ。
【請求項５】
前記レースウェイは、一対の支持部材を有する第１部分を備え、該支持部材の各々が、前記レースウェイから前記第１距離の間隔を置いてコネクタを有しており、
前記レースウェイは、一対の支持部材を有する第２部分を備え、該支持部材の各々が、前記レースウェイから前記第２距離の間隔を置いてコネクタを有する請求項１記載の高架レースウェイ。
【請求項６】
前記レースウェイの下側に沿って、一対の下方に開いた溝が設けられており、前記第１および第２支持部材は、該溝にはまる一対の延出部分を有する請求項１記載の高架レースウェイ。
【請求項７】
水平方向に延在する上側フレーム部材によって上縁部が画定された間仕切りフレームを備え、該間仕切りフレームはさらに、水平方向に間隔を置いた一対の垂直フレーム部材を有し、該垂直フレーム部材の各々の上端部が前記上側フレーム部材に固定されており、前記間仕切りフレームは、前記間仕切りフレームを床面上に当接支持して自立させるように構成された下部分を有しており、さらに、
ユーティリティ線を水平に延ばして保持するように構成された細長い通路を画定する水平方向に延びたレースウェイと、
前記間仕切りフレームに連結されて、前記レースウェイを前記上側フレーム部材の上方へ垂直方向に間隔を置いて支持する、垂直方向に延出した支持部材とを備えた間仕切り。
【請求項８】
前記垂直方向に延出した支持部材は、第１支持部材を有し、さらに、
前記間仕切りフレームに連結されて、前記レースウェイを前記上側フレーム部材の上方に垂直方向に間隔を置いて支持する、垂直方向に延出した第２支持部材を備えた請求項７記載の間仕切り。
【請求項９】
前記レースウェイは、Ｕ字形断面を有する請求項８記載の間仕切り。
【請求項１０】
前記レースウェイは、Ｕ字形部分を含む断面と、該Ｕ字形部分上に延出してそれを閉じる一対の可撓性フラップとを有する請求項８記載の間仕切り。
【請求項１１】
前記第１および第２の垂直方向に延在する支持部材には、垂直方向に細長い開口が貫設されており、さらに、
前記上側フレーム部材の上方へ垂直方向に延在して、前記第１および第２の垂直方向に延在する支持部材の前記垂直方向に細長い開口にはめ込まれたシートを備えた請求項８記載の間仕切り。
【請求項１２】
前記レースウェイの下側に沿って一対の溝が延在しており、
前記支持部材は、該溝にはまる一対の延出部分を有する請求項８記載の間仕切り。
【請求項１３】
第１側縁部と、床面上での当接支持を行って自立させるように構成された下部分と、水平の上縁部とを有する第１間仕切りフレームと、
前記第１側縁部に連結された第２側縁部と、床面上での当接支持を行って自立させるように構成された下部分と、水平の上縁部とを有する第２間仕切りフレームとを有する第２間仕切りフレームとを備えており、
前記第１および第２間仕切りフレームは異なった高さを有して、前記第１および第２間仕切りフレームを床面上に置いた時、前記上縁部が異なった高さ位置にあり、さらに、
水平方向に延びたユーティリティ線を支持するように構成された細長い高架レースウェイを備えており、該レースウェイには、前記間仕切りフレームに連結されて、前記レースウェイを前記第１および第２間仕切りフレームの前記上縁部の上方へ垂直方向に間隔を置いて支持する支持部材が設けられている間仕切りシステム。
【請求項１４】
前記レースウェイは、前記第１および第２間仕切りフレームの前記水平の上縁部にほぼ平行である請求項１３記載の間仕切り。
【請求項１５】
前記レースウェイは、ユーティリティ線を内部に敷設できるようにＵ字形部分を備えた断面形状を有する請求項１４記載の間仕切り。
【請求項１６】
前記レースウェイは、前記Ｕ字形部分を閉じる一対のほぼ水平の可撓性フラップを備える請求項１５記載の間仕切り。
【請求項１７】
前記第１および第２間仕切りフレームの各々は、第１および第２パネル幅を定める側縁部を有し、前記レースウェイは、前記第１パネル幅より短い長さの第１部分を含み、前記レースウェイはさらに、前記第２パネル幅より短い長さの第２部分を含み、そのため、前記レースウェイの前記第１および第２部分は間隔を置いて配置されて、その間に隙間が形成されるようにした請求項１３記載の間仕切り。
【請求項１８】
前記第１および第２間仕切りフレームは、平面図でＬ字形を形成する角度で互いに連結される請求項１７記載の間仕切り。
【請求項１９】
前記第１および第２間仕切りフレームの各々は、水平列配置の開口を前記上縁部付近に有し、
前記支持部材は、それを前記第１および第２間仕切りフレームのうちの選択された一方に連結するために前記開口のうちの少なくとも選択された１つに係合する延出部分を有する請求項１３記載の間仕切り。
【請求項２０】
前記レースウェイに連結されて、それから下方に、前記水平の上縁部のうちの少なくとも選択された１つより下方の位置まで延びた垂直ユーティリティコンジットを備えた請求項１３記載の間仕切り。
【請求項２１】
ユーティリティ線を保持するための複数のＬ字形クリップを備えており、該クリップの各々は、前記ユーティリティコンジットに連結されて、それから片持ち式に延出している請求項２０記載の間仕切り。
【請求項２２】
前記垂直ユーティリティコンジットは、下端部にコンセントを備えている請求項２１記載の間仕切り。
【請求項２３】
前記レースウェイは、下側に少なくとも１つの溝を有し、
前記ユーティリティコンジットは、該溝にはまる延出部分を有する請求項２０記載の間仕切り。
【請求項２４】
前記ユーティリティコンジットは、間隔を置いて配置された側縁部を有し、さらに、
前記ユーティリティコンジットに留め付けてユーティリティ線を前記ユーティリティコンジットに沿って保持するために、前記側縁部をはめ込む一対の向き合った溝を有するＬ字形のクリップを備えた請求項２０記載の間仕切り。
【請求項２５】
一対の垂直列に配置された開口を有する垂直フレーム部材と、
ユーティリティ線を該垂直フレーム部材に沿って通して保持するクリップとを備えており、該クリップは、前記開口のうちの選択されたものにはまる一対の延出部分を有する間仕切りフレーム。
【請求項２６】
垂直側面を画定しており、前記垂直列に配置された開口は、外向きに開いている請求項２５記載の間仕切りフレーム。
【請求項２７】
床面上での支持を行って自立させるように構成された底部と、水平の上縁部とを有するほぼ矩形の間仕切りフレームと、
それぞれ垂直方向に細長い貫設開口を有する一対の垂直延出部材と、
前記上縁部の上方で上向きに延在して、垂直方向に延在する形状に保持されるように、前記垂直方向に細長い開口にはめ込まれたシートとを備えた間仕切りパネル。
【請求項２８】
ユーティリティ線を支持して通すように構成された、水平方向に延びたレースウェイを備えており、該レースウェイは、前記シートの上方で前記垂直延長部材に固定される請求項２７記載の間仕切りパネル。
【請求項２９】
前記間仕切りフレームは、水平列配置の開口を前記水平の上縁部付近に有し、
前記垂直延出部材を前記開口のうちの選択されたものに係合させることによって、前記延出部材を前記間仕切りフレームに取り付けることができる請求項２８記載の間仕切りパネル。
【請求項３０】
前記レースウェイは、ユーティリティ線を内部に敷設できるように、Ｕ字形断面を有する請求項２８記載の間仕切りパネル。
【請求項３１】
前記レースウェイは、Ｕ字形部分を含む断面形状と、該Ｕ字形部分上に延出してそれをほぼ閉じる一対の可撓性フラップとを有する請求項２８記載の間仕切りパネル。
【発明の詳細な説明】
【０００１】
［発明の背景］
最近のオフィスは、主に、照明、ＨＶＡＣ（空調）、セキュリティなどの物理的設備を含めた、通信、コンピュータおよび他の形式のデータ処理装置、電子ディスプレイなどのユーティリティのサポートを各作業部で向上させることをユーザが益々必要としているために、益々複雑かつ精巧になっている。たとえば、エンジニア、会計士、株式仲買人、コンピュータプログラマなどの高度の熟練性を有する「知識労働者」用の最近のオフィスは一般的に、非常に複雑な問題の解決を助けるために、多数の局部または遠隔データ資源からの情報を処理することができる、非常に特殊化されたコンピュータおよび通信装置を多数、備えている。そのような装置は非常に苛酷な電力および信号要求値を有し、隣接および遠隔位置の両方の関連装置と迅速かつ効率的にインターフェースできなければならない。労働者の創造性および生産性を最大にするために、容易に制御可能な照明、ＨＶＡＣ、遮音および他の物理的サポートシステムを備えた作業領域も非常に望ましい。将来の作業場で用いられると思われる多くの他の形式の高い技術レベルの装置および設備も現在開発中である。
【０００２】
洗練された電子オフィスの到来の１つの重要な結果として、容易に構成し直すことができるようにしてさまざまなオフィス全体にユーティリティを分配することが、益々必要であり、望まれる。 本明細書で使用する「ユーティリティ」という用語には、セキュリティ装置、電力、信号および／または通信、ＨＶＡＣ、水および他の流体、および他の同様な資源を含めた、作業部で使用される広範囲の設備が含まれる。労働者がこれらのユーティリティすべてに容易にアクセスできることは、労働者の快適性および効率の促進を図るのに明らかに好都合である。
【０００３】
特に建物のコストが上昇し続けているため、建物の床空間の効率的利用も、益々大きくなる関心事である。総オフィスコストを低減させるために、開放型のオフィス間取りが開発されており、一般的に、個々のユーザの絶えず変化するニーズと共に、さまざまなテナントの多種多様な要求を満たすように容易に構成し直すことができるモジュール式家具システムを備えた、大きい開放型床空間を建物内に組み込んでいる。開放型間取りの間仕切りをするために一般的に使用される１つの構造は、開放型空間を個別の作業部および／またはオフィスに間仕切りするために、離脱可能に相互連結される可動間仕切りパネルを備えている。そのような間仕切りパネルは、作業面、頭上戸棚、棚などの引掛け式家具ユニットを収容できるように構成されており、一般的にオフィス家具業界では「システム家具」として知られている。開放型間取りの分割および／または間仕切りを行う別の構造は、モジュール式家具装置を備えており、この場合、複数のさまざまな形状の自立形家具ユニットを隣り合わせて配置し、家具ユニットの少なくとも一部に直立したプライバシー遮壁を取り付けて、個々の分離した作業部および／またはオフィスを形成する。これらの両形式のモジュール式家具システムは、他のものと共に、永久的な賃貸借物件の模様替えの一部ではないので、主に構成し直し易さおよび／または新しい場所への移動性のため、広く受け入れられてきた。
【０００４】
高価なオフィスの不動産の使用をさらに効率的にするために、高給の知的労働者を、従来の個室オフィスの代わりに、開放型オフィス環境内のこれらの形式のモジュール式家具システムでサポートしようとする試みが現在行われている。しかし、そのような知的労働者の最大限度の効率を確保するために、作業部には上記の最先端のさまざまなユーティリティおよび設備を装備しなければならない。ユーザの絶えず変化するニーズを効果的に満たすように、そのような作業部は容易に構成し直すことができなければならないので、包括的開放型オフィス間取り全体でのユーティリティの分配および制御が、オフィス家具業界の重要な課題として出現している。
【０００５】
現時点では、特定の可搬式間仕切りパネルおよび自立形家具ユニットなどの一部の形式のモジュール式家具システムは、ユニットの全幅に沿って延在する電力線通路をオプションで備えることができ、その通路の両端部付近に、隣接の同様な電力線通路と連結するための迅速脱着式コネクタを設けることによって、関連の家具グループまたは群に電力を供給することができる。電気器具のプラグを差し込むことができるコンセントが、各電力線通路に沿って設けられている。信号および通信線を通すことができる相互連結レースウェイ系を形成するために、ほとんどの家具ユニットにケーブルトラフまたはチャネルも設けられている。そのような配線は通常、家具ユニットを据え付けた後、家具システム内に通されてから、所望の各出口でハード配線される。この形式の分配システムがある程度有効であることはわかっているが、設けられるユーティリティの形式が比較的限定され、それらの分配が完全にはモジュール式ではないので、据え付けおよび構成変更のコストが高くなる。異なった配置に容易に構成し直すことができるようにするモジュール式家具システムの本来的性質により、十分なユーティリティ分配を達成することが非常に困難である。
【０００６】
ユーティリティ線を従来型システム内に通す時、さまざまな問題に直面する。たとえば、ユーティリティ線を間仕切りパネルの上縁部に沿って通す場合、異なった高さの間仕切りパネルを隣接して使用する各位置で、ユーティリティの高さを変化させる必要があるであろう。さまざまな端部キャップおよび渡り部材が開発されている。しかし、そのような装置は一般的に、システムの複雑さおよび／またはコストを増加させる。さらに、そのように高さが変化する位置に大量の線を通す時、問題が生じるであろう。
【０００７】
［発明の概要］
本発明の１つの態様は、間仕切りの上縁部の上方へ垂直方向に間隔を置いた関係でユーティリティ線を通す高架レースウェイを提供することである。レースウェイは、ユーティリティ線を水平に延ばして保持するように構成された細長い通路を有する。第１支持部材が、レースウェイから下方に延出しており、レースウェイから第１垂直距離の間隔を置いてコネクタを有する。コネクタは、間仕切りフレームに取り付けられるように構成されている。第２支持部材が、レースウェイから下方に延出して、レースウェイから第１垂直距離と異なった第２垂直距離の間隔を置いてコネクタを有して、レースウェイが、異なった高さの部分を有する間仕切りの上縁部より上方のほぼ均一の垂直高さに支持されるようにしている。
【０００８】
本発明の別の態様は、水平方向に延在する上側フレーム部材によって上縁部が画定された間仕切りフレームを備えた間仕切りである。間仕切りフレームはさらに、水平方向に間隔を置いて配置された一対の垂直フレーム部材を有し、その各々の上端部が上側フレーム部材に固定されている。間仕切りフレームは、それを床面上に当接支持して自立させるように構成された下部分を有する。間仕切りはさらに、ユーティリティ線を水平に延ばして保持するように構成された細長い通路を画定する水平方向に延びたレースウェイを有する。垂直方向に延出した支持部材が、間仕切りフレームに連結されて、レースウェイを上側フレーム部材の上方へ垂直方向に間隔を置いて支持する。
【０００９】
本発明のさらに別の態様は、第１側縁部と、床面上での当接支持を行って自立させるように構成された下部分とを有する第１間仕切りフレームを備えた間仕切りシステムである。第１間仕切りフレームは、水平の上縁部を有する。間仕切りシステムはまた、第１側縁部に連結された第２側縁部を有する第２間仕切りフレームを備えている。第２間仕切りフレームはまた、それを床面上に当接支持して自立させるように構成された下部分を有する。第２間仕切りフレームは、水平の上縁部を有する。第１および第２間仕切りフレームは異なった高さを有して、第１および第２間仕切りフレームを床面上に置いた時、上縁部が異なった高さ位置にある。細長い高架ダクトまたはレースウェイが、水平方向に延びたユーティリティ線を支持するように構成されている。レースウェイには、間仕切りフレームに連結されて、レースウェイを第１および第２間仕切りフレームの上縁部の上方へ垂直方向に間隔を置いて支持する支持部材が設けられている。
【００１０】
本発明のさらに別の態様は、床面上での支持を行って自立させるように構成された底部を有するほぼ矩形の間仕切りフレームを備えた間仕切りパネルである。間仕切りフレームは、水平の上縁部を有する。間仕切りパネルはまた、それぞれ垂直方向に細長い貫設開口を有する一対の垂直延出部材を有する。シートが、間仕切りフレームの上縁部の上方で上向きに延在しており、垂直方向に延在する形状に保持されるように、垂直方向に細長い開口にはめ込まれている。
【００１１】
本発明の上記および他の特徴、利点および目的は、以下の明細書、請求項および添付図面を参照すれば、当業者には十分に理解されるであろう。
【００１２】
［好適な実施形態の詳細な説明］
本明細書の説明のため、「上」、「下」、「右」、「左」、「後」、「前」、「垂直」、「水平」という用語およびそれらの派生語は、図１の向きにある本発明に関するものである。しかし、本発明では、そうでないことが明示されている場合を除いて、さまざまな変更向きおよび段階順序をとることができることを理解されたい。また、添付図面に示され、以下の明細書に記載されている特定の装置および処理は、併記の特許請求の範囲に定義された発明的概念の例示的な実施例にすぎないことも理解されたい。したがって、本明細書に開示されている実施形態に関する特定寸法および他の物理的特徴は、特許請求の範囲に限定的であることが明示されていなければ、限定的であると見なされるべきではない。
【００１３】
図１は、本発明に従った高架レースウェイアセンブリ２を備えた間仕切りシステム１を示す。高架レースウェイアセンブリ２は、間仕切り１の上縁部４の上方へ垂直方向に間隔を置いた関係で電力または通信（「データ」）線などのユーティリティ線３を通す。高架レースウェイアセンブリ２は、ユーティリティ線３を水平に延ばして保持するように構成された細長い通路（図３も参照）を画定するレースウェイ５を有する。レースウェイ５は、現時点では電話線などのデータ線を通すために使用されているが、本明細書で使用する「レースウェイ」という用語は、広範囲のユーティリティを配線することができる構造を組み込んでおり、電力および／またはデータ線に制限されない。レースウェイ５は、押出高分子材である。レースウェイの第２実施形態５Ａ（図４）は、鋼から圧延成形されており、上方に開いたＵ字形の断面を有する。さらに図２を参照すると、間仕切りシステム１は、第１高さを有する第１間仕切りパネル１０と、第２高さを有する第２間仕切りパネル１１と、第３高さを有する第３間仕切りパネル１２とを有することができる。第１支持部材７が、レースウェイ５または５Ａから下方に延出して、レースウェイ５または５Ａから第１垂直距離の間隔を置いてブラケット１３などのコネクタを有する。さらに詳細に後述するように、ブラケット１３は、間仕切りパネルフレーム１６に取り付けられるように構成されている。第２支持部材８が、レースウェイ５または５Ａから下方に延出して、レースウェイ５または５Ａから第１垂直距離と異なった第２垂直距離の間隔を置いてブラケット１３などのコネクタを有するので、レースウェイ５または５Ａは、異なった高さを有する間仕切り１０および１１の上縁部４の上方に間隔を置いたほぼ均一の垂直高さに支持される。
【００１４】
間仕切りパネル１０、１１および１２の各々は、垂直フレーム部材１７を有する間仕切りパネルフレーム１６を備えており、各垂直フレーム部材１７には、作業面１９（図１）などの引掛け式付属ユニットを支持するための垂直列配置の開口１８が設けられている。上側水平フレーム部材２０は、垂直フレーム部材１７と同一の断面形状を有し、レースウェイ５または５Ａやさまざまな他の付属ユニットを支持するために使用できる水平列配置の開口２１を備えている。下側水平フレーム部材２３は、間仕切りを床面２５上に支持して自立させるために、一対の足部またはグライド２４を有する。水平または底面部材２３およびグライド構造は、既存のスチールケース・アベニア（Ｓｔｅｅｌｃａｓｅ  ＡＶＥＮＩＲ）システムとほぼ同一であるため、これらの機構については本明細書では詳細に説明しない。
【００１５】
図３を参照すると、支持部材７、８および９の各々は、ほぼ同一の断面形状を有するが、高さが異なっている。支持部材９は、中央ウェブ２６と一対の側部ウェブ２７とを有し、したがってＩ字形ビームのような断面形状を有する。さらに詳細に後述するように、支持部材７および８の中央ウェブ２６に貫設された垂直方向に細長い開口２８には、延長遮壁を形成するシート２９（図９）をはめ込むことができる。支持部材９には開口２８が設けられていないが、それ以外の点では支持部材７および８と同じ断面形状を有する。レースウェイ部材５は、レースウェイ５を支持部材９に固定するために側部ウェブ２７の上端部３１をはめ込む一対の下方に開いた溝３０を有する。中央ウェブ２６の上縁部３２は、レースウェイ５の弓形の下側面３３に密接状に合致する弓形になっている。レースウェイ５は、ユーティリティ線３を細長い空洞部６に挿入できるように上方に回転することができる一対の可撓性フラップ３４を備えている。レースウェイ部材５は好ましくは、二重ジュロメータ硬度の高分子材であって、下側のＵ字形部分３５は比較的硬質の材料製で、フラップ３４は比較的可撓性の材料製である。
【００１６】
図４をさらに参照すると、レースウェイの第２実施形態５Ａは、圧延成形鋼で形成されており、下側または底面ウェブ３６と、それから延出して上方に開いたＵ字形断面を形成する一対の側部ウェブ３７とを有する。側部ウェブ３７の上端部３８の末端に小さいＵ字形フランジ３９が形成されており、側部ウェブ２７の上端部３１がそれにはまる。支持部材９Ａは、レースウェイ５Ａの下側ウェブ３６に密接状に合致するために、上縁部３２Ａが湾曲しないで直線的であることを除いて、第１実施形態の支持部材９とほぼ同一である。さらに詳細に後述するように、支持部材９および９Ａは共に、ブラケット１３によって水平フレーム部材２０の水平列配置のスロット２１に連結される。
【００１７】
レースウェイセグメントの全長「Ｌ」（図２）は、間仕切りパネルの全幅「Ｗ」より小さく、それにより、隣接したレースウェイセグメント間に隙間９０が生じる。隙間９０は比較的小さいため、隙間９０を越えてユーティリティ線３を通すことができる。さらに、隙間９０は、９０°をなす向きか、他の非線形間取り構造のレースウェイセグメント間の隅部９１（図１）で、特別な隅コネクタなどを必要としない。さらに図５および図６を参照すると、ブラケット１３の第１実施形態は、上側ウェブ４０と、側部ウェブ４１と、内向きに延びた下側ウェブ４２とを有し、下側ウェブ４２の末端に上向きのフランジ４３が形成されている。設置の際は、フランジ４３および下側ウェブ４２の一部分を、水平フレーム部材２０の開口２１にはめ込む。次に、ウェブ２６の下縁部４６をブラケット１３の上側ウェブ４０上の第１および第２上部突起４４および４５間にはめ込んで、支持部材９をブラケット１３に取り付ける。支持部材９をブラケット１３に固定するために、従来型ねじ付き締結具または他のコネクタをブラケット１３の側部ウェブ４１の開口４７および支持部材９の側部ウェブ２７の開口４８にはめ込む。ブラケット１３は、レースウェイ５Ａの使用時に支持部材９Ａにも使用することができる。
【００１８】
さらに図７および図８を参照すると、ブラケットの第２実施形態１３Ａは、側部ウェブ４９と、底部ウェブ５０と、間隔を置いて上方に延出した一対のタブ５１と、下方に延出した中央タブ５２とを有する。設置の際は、タブ５１を開口２１にはめ込み、下方に延出したタブ５１を水平フレーム部材２０の側面５３に密接させる。ブラケット１３Ａを支持部材９の側部ウェブ２７に貫設された開口４８に固定するために、開口５４に締結具をはめ込む。ブラケット１３Ａを支持部材９の各側部ウェブ２７に連結して、支持部材９を上側水平フレーム部材２０の各側の開口２１に係合させる。ブラケットの実施形態１３または１３Ａのいずれも、いずれの実施形態の支持部材９または９Ａにも、または異なった長さの支持部材７および８にも使用することができる。さらに、さまざまな長さの支持部材７、８および９は、図３のレースウェイ５を支持するために使用された第１実施形態、または図４に示された第２実施形態のレースウェイ５Ａを支持するために使用された支持部材の第２実施形態のいずれを有することもできることを理解されたい。
【００１９】
さらに図９を参照すると、特定用途に必要ならば、支持部材の細長い垂直スロット２８にシート２９をはめ込んで、プライバシーレベルを高めることができる。シート２９は、半透明またはフロスト高分子材を有することができるが、所望のプライバシーレベルを得るために必要ならば、不透明材を有することもできる。シート２９は、個々のユーザが望む特性を有していれば、実質的にいずれの材料で形成することもできる。シート２９は、スロット２８に滑り込ませることによって取り付けられる。
【００２０】
さらに図１０を参照すると、ユーティリティ線をレースウェイ５から作業面１９の高さまで（図１も参照されたい）、または作業空間内の他の好都合な高さまで下向きに通すために、ユーティリティコンジットアセンブリ６０を用いることができる。細長部材６１の上端部６２をレースウェイ５の溝またはスロット３０にはめ込み、フック付きブラケット６３で細長部材６１を水平フレーム部材２０の開口列２１に固定する。複数のリテーナ６４がＣ字形をなしており、リテーナクリップ６４を保持できるように細長部材６１の両縁部６６をはめ込む一対の対向溝６５を備えている。図示の例では、細長部材６１は鋼製であり、細長部材６１に連結するためにクリップ６４を撓ませて開くことができるように、保持クリップ６４は可撓性高分子材で形成されている。電力または通信プラグを差し込むコンセント６７が、細長部材６１の下端部６８に固定されている。ユーティリティ線を所望高さまで通すことができるように、ユーティリティコンジット６０をさまざまな長さにすることができる。オプションの水平横ブレース６９が、一対のフック付きブラケットを有しており、それを垂直列配置の開口１８に係合させることによって、水平ブレース６９を支持することができる。特にフレーム１６がカバーパネル２２によって覆われていない用例（図１も参照されたい）では、ブレース６９を使用すると、細長部材６１を水平ブレース６９に当接させることによって、ユーティリティコンジット６０の回転が防止される。ブラケット６３および上端部６２は、ブレース６９がなくてもユーティリティコンジット６０を使用できるようにする十分な強度を与えるが、一定の用途で必要ならば、ブレース６９を使用できることが予想される。カバーパネル２２は、既存のスチールケース・アベニアカバーパネルとほぼ同一であるため、本明細書では詳細に説明しない。細長部材６１は、ユーティリティトラフの第２実施形態５Ａの上端部３８（図４）に係合する、下方に開いたＪ字形フック（図示せず）を有することもできる。
【００２１】
さらに図１１を参照すると、ユーティリティコンジットの第２実施形態６０Ａは、細長ロッド７１と、ユーティリティ線３を保持して通す複数のクリップ７２とを有する。クリップ７２は、細長ロッド７１上を摺動するか、それにクリップ式に留め付けられるベース７３を有する。Ｃ字形延出部分７４が、ベース７３から外向きに延出して、ユーティリティ線３を挿入することができるフック状構造を形成している。ブラケット７５が、細長ロッド７１を支持するために水平列配置の開口２１に締まりばめされる複数の延出部分７６を有する。ロッド７１の上端部７８の取り付け具７７は、ロッド７１を保持するためにレースウェイ５の溝３０にはまる平坦な端部分７９を有する。ユーティリティコンジットの第２実施形態６０Ａを水平ブレース６９（図１）によって支持してもよい。
【００２２】
図１２を参照すると、高分子クリップ８０は、互いに近づくように内向きに延出した一対の延出部分８１を有する。延出部分８１は、間仕切りフレーム６０の側縁部８２（図１も参照されたい）に沿った垂直列配置の開口１８にはめ込まれる。クリップ８０の脚部８３は、外向きに撓んで、ユーティリティ線３を挿入できるように脚部８３の端部８５の隙間８４を増大させることができる。クリップ８０によって、垂直カバーなどを必要としないで、ユーティリティ線３を間仕切りパネルフレーム１６上に外部配線することができる。クリップの第２実施形態８０Ａ（図１３）は、脚部８３が弓形である点を除いて、第１実施形態８０とほぼ同一である。クリップの第２実施形態８０Ａは、その他の点では第１実施形態８０とほぼ同一である。
【００２３】
本発明の高架レースウェイ２は、レースウェイの下方のパネルの高さの変化に関係なく、ユーティリティ線３を一定高さに配線することができる。ユーティリティコンジットは、ユーティリティ線を高架レースウェイから下方へ通すことができ、フレームがカバーパネル２２で覆われない用例では、水平ブレース６９がユーティリティコンジット６０および６０Ａを支持する。個々の用例で必要ならば、プライバシーのレベルを高めるために、レースウェイ支持部材７〜９の開口２８に延長遮壁２９を挿入することができる。
【００２４】
以上の説明で、当業者であれば、本明細書に開示されている概念から逸脱することなく、本発明に変更を加えることができることを容易に理解できるであろう。そのような変更は、特許請求の範囲に、含まれないことが明示されていなければ、含まれると見なされるべきである。
【図面の簡単な説明】
【図１】
本発明に従った高架レースウェイを含む間仕切りシステムを示す、一部分解した斜視図である。
【図２】
それぞれに高架レースウェイを組み合わせたさまざまな寸法の間仕切りを含む間仕切りシステムの正面図である。
【図３】
図１のＩＩＩ−ＩＩＩ線に沿ったレースウェイの断面図である。
【図４】
図１のＩＶ−ＩＶ線に沿ったレースウェイの第２実施形態の断面図である。
【図５】
図１の間仕切りの水平列配置のスロットにレースウェイを連結するためのブラケットの第１実施形態を示す破断斜視図である。
【図６】
図５のブラケットの斜視図である。
【図７】
図１の間仕切りの水平列配置のスロットにレースウェイを連結するためのブラケットの第２実施形態の破断斜視図である。
【図８】
図７のブラケットの斜視図である。
【図９】
プライバシー延長遮壁を有する図１の高架レースウェイを示す破断斜視図である。
【図１０】
ユーティリティ線を高架レースウェイから低位置まで通すためのユーティリティコンジットを示す破断斜視図である。
【図１１】
ユーティリティ線を高架レースウェイから低位置まで通すためのユーティリティコンジットの第２実施形態を示す破断斜視図である。
【図１２】
ユーティリティ線を図１の間仕切りの垂直フレーム部材に沿って通すために使用される第１形式のクリップの斜視図である。
【図１３】
図１１のクリップの第２実施形態の斜視図である。
【国際公開パンフレット】
2004530065.tif 000003
2004530065.tif 000004
2004530065.tif 000005
2004530065.tif 000006
2004530065.tif 000007
2004530065.tif 000008
2004530065.tif 000009
2004530065.tif 000010
2004530065.tif 000011
2004530065.tif 000012
2004530065.tif 000013
2004530065.tif 000014
2004530065.tif 000015
2004530065.tif 000016
2004530065.tif 000017
2004530065.tif 000018
2004530065.tif 000019
2004530065.tif 000020
2004530065.tif 000021
2004530065.tif 000022
2004530065.tif 000023
2004530065.tif 000024
2004530065.tif 000025
2004530065.tif 000026
2004530065.tif 000027
2004530065.tif 000028
【国際公開パンフレット（コレクトバージョン）】
2004530065.tif 000029
2004530065.tif 000030
【国際調査報告】
2004530065.tif 000031